(57)【要約】【課題】プラグの挿入方向を半球面内全体に亘ってカバーできるようにした回転型コンセントを提供する。【解決手段】回転型コンセントが、電源コードが配設されて固定されるハウジングと、プラグの端子受けを有してハウジング内に回転自在に嵌合される回転コンセント本体と、ハウジングに形成されて、回転コンセント本体の端子受けとの電気接続を行うための環状ベース部材と、コンセント本体の各端子受け先端に装着され環状ベース部材に摺動接触する接触部材と、ハウジングに形成された回転コンセント本体の回転を規制する回転ガイドと、コンセント本体に形成された回転ガイドに嵌合する回転ガイド嵌合部とを備えて回転機構を構成する。【選択図】図２
2006019188.tif 000002
【特許請求の範囲】
【請求項１】
コンセント本体の角度を変位可能に構成することにより、プラグの端子受けが自在の角度を取り得るようにしたコンセントであって、電源コードが配設されたハウジングと、前記プラグの端子受けを有して前記ハウジング内に設けられた前記コンセント本体と、前記コンセント本体の背面に設けられたベース部材と、前記端子受けに電気的な接続を行うために、前記ベース部材に設けられた接触部材とを備え、前記コンセント本体の角度の変位にかかわらず、前記コンセント本体の各端子受け後端が、前記接触部材に接触するようにしたことを特徴とする角度自在型コンセント。
【請求項２】
前記コンセントは、前記ハウジングの内周壁に突出させて形成したガイド突起と、前記ガイド突起に沿うように前記コンセント本体に形成した溝部とを備え、前記ガイド突起に前記溝部を嵌合させて前記コンセント本体が角度自在に保持されることを特徴とする請求項１に記載の角度自在型コンセント。
【請求項３】
前記コンセントは、前記ハウジングの内周壁を多角形に形成すると共に、前記コンセント本体の外周壁を前記ハウジングの内周壁に沿う形状に形成し、嵌め合わせの角度を変えて前記コンセント本体が所定の角度を取り得るようにしたことを特徴とする請求項１または２に記載の角度自在型コンセント。
【請求項４】
前記ガイド突起をリング状に形成し、前記コンセント本体が回転するように構成したことを特徴とする請求項１または２に記載の角度自在型コンセント。
【請求項５】
前記コンセント本体は、前記ハウジングに軸支させた回転軸に取付けられていることを特徴とする請求項１ないし４のいずれかに記載の角度自在型コンセント。
【請求項６】
前記ベース部材は、前記ハウジングの底面と同等の円板形状に形成されると共に、その上面に各端子受けに対応する２本の導電性の環状リングが設けられ、前記各環状リングにはそれぞれ電源コードの各芯線が下面より接続されていることを特徴とする請求項１ないし５のいずれかに記載の角度自在型コンセント。
【発明の詳細な説明】
【技術分野】
【０００１】
本発明は、１８０度程度回転自在に構成されたムービープラグ等と呼ばれる回転型電源プラグと組合わせて使用することによって、半球形の全方向を使用範囲としてカバーできるようにした電源コンセントに関するものである。
【背景技術】
【０００２】
最近、電源コンセント＆プラグには室内外等で、様々な角度からコンセントに自由に着脱できるようにしたムービープラグ等の商品名で呼ばれる回転型プラグが多用されている。この回転型プラグは、プラグの先端を１８０度回転するようにしたものであり、例えば、特許文献１に開示の「回転折り畳み式電源プラグ」が知られている。図８は、その「回転折り畳み式電源プラグ」の斜視図であり、回転体の端子本体１０２を回転させることによって、本来は直立位置にあって上方を向いていた電源端子１０３、１０３が左右に９０度づつ回転できるようにしたものである。
【０００３】
この回転折り畳み式電源プラグの構造の詳細は図示していないが、大別して、回転機構と、電気接続伝達機構の２つに分けられる。先ず、回転機構は端子本体１０２を回転させるもので、１８０度回転させる方式の場合は半円筒形の端子本体１０２を用い、又、電源端子１０３を収納できるようにした３６０度回転方式の場合は全円筒形に形成した端子本体１０２を用いて、プラグ本体１０１に対して回転させるものである。また、電気接続伝達機構は、端子本体１０２に取付けた端子１０３、１０３の基底部に、電気接続用の円形のバネ座金を取付け接続切片と接触するようにしたり、あるいは、連結端子１０５等の接続用部材を電源端子１０３が連結端子１０５に対して回転自在なように連結・支持する等の接触機構を用いて、これらの接続用部材を介してプラグ本体１０１の入力側電源コードと接続することによって、端子本体１０２が回転しても、電源端子１０３、１０３と入力電源コードとは接触機構により接続を保ち、断電することはない。
【特許文献１】実登録３０９１６６２号公報
【発明の開示】
【発明が解決しようとする課題】
【０００４】
しかし、コンセントとプラグの組み合わせで、プラグだけを回転させるようにした場合には、２次元的な平面方向の調節しかできないという問題がある。
【０００５】
そこで、本発明は、プラグだけではなく、コンセントも１８０度回転するようにしてコンセント前面のプラグの挿入方向を半球面内全体に亙ってカバーできるように、自由度を拡大して調節できるようにした角度自在型コンセントを提供する。
【課題を解決するための手段】
【０００６】
上記問題を解決するため、請求項１に記載の角度自在型コンセントは、コンセント本体の角度を変位可能に構成することにより、プラグの端子受けが自在の角度を取り得るようにしたコンセントであって、電源コードが配設されたハウジングと、前記プラグの端子受けを有して前記ハウジング内に設けられた前記コンセント本体と、前記コンセント本体の背面に設けられたベース部材と、前記端子受けに電気的な接続を行うために、前記ベース部材に設けられた接触部材とを備え、前記コンセント本体の角度の変位にかかわらず、前記コンセント本体の各端子受け後端が、前記接触部材に接触するようにしたことを特徴とする。
請求項２に記載の角度自在型コンセントは、前記コンセントが、前記ハウジングの内周壁に突出させて形成したガイド突起と、前記ガイド突起に沿うように前記コンセント本体に形成した溝部とを備え、前記ガイド突起に前記溝部を嵌合させて前記コンセント本体が角度自在に保持されることを特徴とする。
請求項３に記載の角度自在型コンセントは、前記コンセントが、前記ハウジングの内周壁を多角形に形成すると共に、前記コンセント本体の外周壁を前記ハウジングの内周壁に沿う形状に形成し、嵌め合わせの角度を変えて前記コンセント本体が所定の角度を取り得るようにしたことを特徴とする。
請求項４に記載の角度自在型コンセントは、前記ガイド突起をリング状に形成し、前記コンセント本体が回転するように構成したことを特徴とする。
請求項５に記載の角度自在型コンセントは、前記コンセント本体が、前記ハウジングに軸支させた回転軸に取付けられていることを特徴とする。
請求項６に記載の角度自在型コンセントは、前記ベース部材が、前記ハウジングの底面と同等の円板形状に形成されると共に、その上面に各端子受けに対応する２本の導電性の環状リングが設けられ、前記各環状リングにはそれぞれ電源コードの各芯線が下面より接続されていることを特徴とする。
【発明の効果】
【０００７】
本発明の角度自在型コンセントは、コンセント本体がハウジングに嵌合して設けられていることから、ハウジング内でコンセント本体が回転可能であり、また、回転に伴いコンセント本体の角度が変位した場合でも、コンセント本体の各端子受け後端は、その背面に設けられたベース部材の接触部材に接触しているので電気的接続は維持される。
これにより、１８０度回転可能なプラグと組合わせて使用すれば、前面の半球形の範囲の全方向からの挿入操作ができるように調整が可能になるので、最近のＩＴ機器の増加等から益々電源端子の数が増加する環境において、小型省スペース、省コストの使い勝手の良いコンセントを提供できるという効果がある。
また、コンセントの外周を多角形に形成した場合には、コンセント本体を一旦ハウジングから抜き出し、所望の角度となるようにして再度嵌め込むことで、好適な角度が維持できるものとなる。
【発明を実施するための最良の形態】
【０００８】
電源コードが配設されて固定されるハウジング内に、プラグの端子受けを有する回転コンセント本体を備え、該回転コンセント本体が電気的接続を保ちながらハウジング内で回転するようにして、半球形の範囲の全方向からプラグの挿入ができるようにコンセントを構成した。
以下、本発明の実施の形態について図面を参照して説明する。
【実施例１】
【０００９】
図１は本発明の壁面埋め込みコンセント１（角度自在型コンセント）の平面図である。この図１に示すように、実施例１の壁面埋込みコンセント１は、壁面に固定された状態で、回転コンセント２が回転可能に備えられている。この回転コンセント２は、プラグが挿入される２個の端子受け３を有し、その後端が電源コードに電気的に接続されながら、左右に９０度づつ１８０度回転可能に構成されている。なお、回転コンセントは、ほぼ３６０度回転させることも可能であるが、安全な回転動作のためストッパー（図示せず）で回転角度を図の点線矢印のように１８０度に規制している。
【００１０】
図２は壁面埋込みコンセント１を壁面６に取付けた状態の縦断面図を示したものである。この壁面埋込みコンセント１における回転コンセント２は、底面が円形で全体形状が有底円筒状のハウジング４と、ハウジング４の内側に設けられる円筒状のコンセント本体５と、電気接続用の環状リング８、８ａが形成される平板状のベース部材７と、を備えている。このベース部材７は、コンセント本体５の背面に設けられ、回転コンセント２が装着された時に、その底面がほぼ接触する位置に形成される。また、環状ベース部材７に形成された環状リング８、８ａには、屋内配線の電源コード１０の２本の芯線１１、１１ａが接続される。コンセント本体５は、薄板で形成されたカバー１６で、その外周部が覆われることによりハウジング４の内側で回転自在に嵌合・保持される。
【００１１】
一方、コンセント本体５は、挿入されるプラグをバネ金具で挟持・保持する端子受け３、３を有し、端子受け３、３の後端には、金属球９、９を突出させて装着している。この金属球９、９は、環状ベース部材７上の環状リング８、８ａに摺動して接触・接続するように装着される。
【００１２】
図３は環状リング８、８ａの上面図であり、環状のベース部材７上に円形リング状の帯状の金属板を二重にプリント、貼付け、埋込み、等の作業により形成している。各環状リング８、８ａのそれぞれには、スルーホール等を介してろう付け等により、裏側から電源コード１０の２本の芯線１１、１１ａを接続している。このように構成されたコンセント本体５をハウジング４に装着すると、端子受け３、３の後端の金属球９、９が環状リング８、８ａに接触して、それぞれ密着する。因みに、端子受け３、３の後端の金属球９、９と環状リング８、８ａとを好適に接触させるために、それぞれに弾性的な付勢力が働くようにするのがよい。壁面埋込みコンセント１は、図２のように壁面６に埋込まれ、ハウジング４の取付け部を螺止して固定される。
【００１３】
この状態で、図８に示したような回転プラグの先端を、回転コンセント本体２の端子受け３、３に挿入して、挿入作業がし易い任意の方向へコンセント本体５を回転させてプラグを挿入すると、コンセント本体５の金属球９、９ａが環状リング８、８ａに接触して電気接続を行う。回転コンセント本体５が回転しても、環状リング８、８ａ上を金属球９、９ａが摺動して接触するので、電気接続が切れることはない。このように、本発明では回転プラグと回転コンセントの組合わせによって、１８０度×１８０度の半球状の全範囲をカバーできるようになる。
【００１４】
尚、図１に示した壁面埋込みコンセント１は回転コンセント２を２個配設しているが、図２では、動作説明を簡単にするために回転コンセント２は１個だけ図示している。回転コンセント２の増設は同一機構ものを増やせばよく、幾つでも自由である。
【実施例２】
【００１５】
図４は実施例２の回転型コンセントの縦断面図である。この図４で、前実施例の図２と異なる点は、回転軸２０を設けて回転機構を構成した点である。この回転機構は、回転コンセント本体５の上面に頭部を固定して、環状ベース部材７を貫通してハウジング４の底面部に凹型に形成された軸支部２１で回転自在に軸支される回転軸２０によって構成されている。これにより、コンセント本体５が、安定的にハウジング４の内側で回転自在に嵌合・保持され、回転軸２０によって安定強固な回転機構を構成できる。因みに、回転軸２０の軸支状態をタイトにし、回転時に摩擦力による抵抗が付加されるようにすることにより、回転コンセント本体５の角度が、一定の位置で容易には動かないようになる。同様に、回転機構に嵌合段差を設け、回転が段階的に保持されるようにして、コンセント本体５の角度が一時的に保持されるようにしてもよい。
【実施例３】
【００１６】
図５は、壁面埋込みコンセント１に備えられる角型コンセント２ａを示したものである。この角型コンセント２ａは、その外周形状が正八角形に形成されたものであり、図５の（ａ）、（ｂ）、（ｃ）に示したように、左右に４５度づつ１８０度角度変位可能に形成されている。尚、角型コンセント２ａは、図示した形状に限定されるものではなく正四角形や正十二角形でもよいことは言うまでもないが、好ましくは正八角形がよい。これにより、壁面埋込みコンセント１に対して２個の端子受け３の方向を周囲の環境に応じ、例えば、プラグの差込み方向に障害物があった場合でも、その障害物を回避しながら、自在にプラグが差し込めるものとなる。
【００１７】
図６は、壁面埋込みコンセント１に備えられる角型コンセント２ａの縦断面図である。この図６において、前実施例の図２および図４と異なる点は、ハウジング４の内周壁が有底角筒状に形成されていることであり、且つ、その内側に設けられるコンセント本体５の外周壁が、ハウジング４の内周壁形状と同様の角型形状に形成されていることである。また、ハウジング４の内壁面には、その内壁面に沿って周回する環状の嵌合突起１４が形成されており、この嵌合突起１４がコンセント本体５に設けられた溝部１３と嵌合している。嵌合突起１４は、ハウジング４の開口縁より所定の深さに丸みを持たせて突出形成されており、これにより、コンセント本体５が脱落しないように保持され、且つ、コンセント本体５が比較的容易に抜き差し可能なものとなっている。因みに、この実施例において、ハウジング４の内周壁を有底円筒状に形成し、且つ、コンセント本体５の外周壁をハウジング４の内周壁形状に対応させて円形に形成した場合には、コンセント本体５がハウジング４内で回転可能に構成される。
【実施例４】
【００１８】
図７は、コンセント本体５とプラグ２５がプラグアダプタ２６を介して接続するように構成された電源コード接続セットを示したものである。この図７に示されるプラグアダプタ２６は、プラグの端子受け部分に埃などが侵入できないようにしたものであり、実用新案登録３０７９４７８号に記載されているようなものが使用できる。その構造は角筒形状のプラグアダプタ本体の接続側に、断面がテーパ状の環状接合突起部を設け、且つ、コンセント側に、前記環状接合突起部を嵌合可能に溝部を設け、それぞれ互いに嵌合させることにより、プラグアダプタに挿入したコンセントとプラグとが堅固に装着されるようにしたものである。プラグアダプタ２６とコンセント本体５との嵌合は、弾性材で形成されたフック２４を、コンセント本体５に設けられた溝部に嵌合させて行われ、嵌合状態はフック２４を手で押圧することにより解除される。
【００１９】
コンセント本体５の底部は円錐形状に形成され、その頂部において一対の端子受け３後端のいずれか一方が、ベース部材７に設けられた接触部材と電気的に接続されるようになっている。また、図６に示したハウジング４の嵌合突起１４およびコンセント本体５の溝部１３がそれぞれ嵌合するように設けられ、これにより、コンセント本体５が脱落しないように保持され、且つ、コンセント本体５が比較的容易に抜き差し可能なものとなっている。因みに、嵌合突起１４と溝部１３との嵌合は、通常のプラグの抜差しで抜けない程度の状態で嵌め合わされている。
【産業上の利用可能性】
【００２０】
本発明は、壁面埋込みコンセントに限定されるものではなく、テーブルタップ型コンセント、ビル等の床に多用されるフット式の床コンセント、情報データ通信端子と電源端子が別々に配置される複合型コンセント等、あらゆるコンセントに適用可能である。
【図面の簡単な説明】
【００２１】
【図１】回転コンセントを備えた角度自在型コンセントの平面図である。
【図２】実施例１に示す角度自在型コンセントの縦断面図である。
【図３】図２に示す環状リングの上面図である。
【図４】実施例２の角度自在型コンセントの縦断面図である。
【図５】角型コンセントを備えた角度自在型コンセントの平面図である。
【図６】実施例３の角度自在型型コンセントの縦断面図である。
【図７】実施例４の角度自在型コンセントの縦断面図である。
【図８】従来の回転折り畳み式電源プラグの斜視図である。
【符号の説明】
【００２２】
１    壁面埋込みコンセント（角度自在型コンセント）
２    回転コンセント
２ａ    角型コンセント
３    端子受け
４    ハウジング
５    コンセント本体
７    ベース部材
８    環状リング
１３    溝部
１４    嵌合突起
１６    カバー
２０    回転軸
２５    プラグ
２６    プラグアダプタ
【図１】
2006019188.tif 000003
【図２】
2006019188.tif 000004
【図３】
2006019188.tif 000005
【図４】
2006019188.tif 000006
【図５】
2006019188.tif 000007
【図６】
2006019188.tif 000008
【図７】
2006019188.tif 000009
【図８】
2006019188.tif 000010